(57)【要約】【課題】ディスクの意匠性やデザイン性を活かし、ディスクを収納する場合に手間がかからず、かつ、訴求効果の高いディスクケース及び印刷物を提供する。【解決手段】ディスクケース１０は、ディスク１１と、収納部１２と、粘着層１３と、剥離紙１４と、開封用ハーフカット１５等とを備え、ディスク１１は、円形状の記録媒体であり、所定のデザインＤ１を表面に有しており、収納部１２は、ディスク１１を内部に収納するものであり、透明又は半透明の円形状の表面及び裏面フィルム１２ａ，１２ｂとが接着部１２ｃによって接着されており、粘着層１３は、このディスクケース１０を所定の位置に貼り付けるための粘着糊であり、剥離紙１４は、粘着層１３の粘着力を保護するシートであり、開封用ハーフカット１５は、このディスクケース１０を開封するためのカット線である。【選択図】図１
2005206161.tif 000002
【特許請求の範囲】
【請求項１】
所定のデザインを有する円形状のディスクと、
前記ディスクを内部に収納する透明又は半透明の円形状の収納部と、
を備えるディスクケース。
【請求項２】
ディスクを内部に収納するディスクケースであって、
透明又は半透明の円形状の収納部を備えるディスクケース。
【請求項３】
請求項１又は請求項２に記載のディスクケースにおいて、
前記収納部は、周縁部の一部又は全部が接着された２枚のシートであること、
を特徴とするディスクケース。
【請求項４】
請求項１から請求項３までのいずれか１項に記載のディスクケースにおいて、
前記収納部の上側及び／又は下側に設けられ、このディスクケースを所定の位置に貼り付ける貼付手段を備えること、
を特徴とするディスクケース。
【請求項５】
請求項１から請求項４までのいずれか１項に記載のディスクケースにおいて、
前記収納部の周縁部付近の一部又は全部に設けられ、このディスクケースを開封する開封予定部を備えること、
を特徴とするディスクケース。
【請求項６】
請求項１から請求項５までのいずれか１項に記載のディスクケースにおいて、
前記収納部の外縁付近及び／又は前記開封予定部に設けられ、開封を容易にする易開封部を備えること、
を特徴とするディスクケース。
【請求項７】
請求項１から請求項６までのいずれか１項に記載のディスクケースと、
前記ディスクケースが添付され、そのディスクケースに収納されたディスクのデザインと関連性のあるデザインが形成された被添付部材と、
を備える印刷物。
【発明の詳細な説明】
【技術分野】
【０００１】
本発明は、商業印刷物、出版物、パッケージ製品等に、好適に利用できるディスクケース及び印刷物に関するものである。
【背景技術】
【０００２】
従来、この種のディスクケースは、雑誌やカタログ等の印刷物に、ディスク状の記録媒体（以下、ディスクという）を添付する場合に用いられ、紙封筒等の形態が一般的であった。
【０００３】
また、前面フィルムと背面フィルムとの間にディスクを挟み込むもの（例えば、特許文献１）や、厚紙に穴やスペースを設けてディスクを収納し、それをシートで覆うもの（例えば、特許文献２，３）等も知られている。
【０００４】
しかし、ディスクを紙封筒に封入する形態は、中身が確認できないので、ディスクの意匠性やデザイン性を活かしたディスクケースとは言い難く、デザイン等の制約もあった。
また、ディスクをフィルムやシートで包む形態は、収納時に、ディスクの向きを調節しなければならず、その作業が手間となっていた。
【０００５】
一方、上述した従来のディスクケースが貼り付けられた印刷物は、ディスクケースが単なる添付手段として用いられているだけであり、十分な訴求効果が得られない可能性があった。
【０００６】
【特許文献１】登録実用新案第３０２９８４５号公報
【特許文献２】実開平７−１１５８９号公報
【特許文献３】特開平１０−２３６５６１号公報
【発明の開示】
【発明が解決しようとする課題】
【０００７】
本発明の課題は、ディスクの意匠性やデザイン性を活かし、ディスクを収納する場合に手間がかからず、かつ、訴求効果の高いディスクケース及び印刷物を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、所定のデザイン（Ｄ１）を有する円形状のディスク（１１）と、前記ディスク（１１）を内部に収納する透明又は半透明の円形状の収納部（１２）と、を備えるディスクケースである。
【０００９】
請求項２の発明は、ディスク（１１）を内部に収納するディスクケースであって、透明又は半透明の円形状の収納部（１２）を備えるディスクケースである。
【００１０】
請求項３の発明は、請求項１又は請求項２に記載のディスクケースにおいて、前記収納部（１２）は、周縁部の一部又は全部が接着された２枚のシート（１２ａ，１２ｂ）であること、を特徴とするディスクケースである。
【００１１】
請求項４の発明は、請求項１から請求項３までのいずれか１項に記載のディスクケースにおいて、前記収納部（１２）の上側及び／又は下側に設けられ、このディスクケースを所定の位置に貼り付ける貼付手段（１３）を備えること、を特徴とするディスクケースである。
【００１２】
請求項５の発明は、請求項１から請求項４までのいずれか１項に記載のディスクケースにおいて、前記収納部（１２）の周縁部付近の一部又は全部に設けられ、このディスクケースを開封する開封予定部（１５）を備えること、を特徴とするディスクケースである。
【００１３】
請求項６の発明は、請求項１から請求項５までのいずれか１項に記載のディスクケースにおいて、前記収納部（１２）の外縁付近及び／又は前記開封予定部（１５）に設けられ、開封を容易にする易開封部（１６Ａ、１６Ｂ）を備えること、を特徴とするディスクケースである。
【００１４】
請求項７の発明は、請求項１から請求項６までのいずれか１項に記載のディスクケース（１０，１０Ａ，１０Ｂ）と、前記ディスクケース（１０，１０Ａ，１０Ｂ）が添付され、そのディスクケース（１０，１０Ａ，１０Ｂ）に収納されたディスク（１１）のデザイン（Ｄ１）と関連性のあるデザイン（Ｄ２）が形成された被添付部材と、を備える印刷物。
【発明の効果】
【００１５】
本発明によれば、透明又は半透明の収納部としたので、収納されたディスクの意匠性やデザイン性を活かすことができ、かつ、円形状の収納部としたので、ディスクの収納時には、収納するディスクの向きの調整が不要となり、それによって作業の手間が省ける。
また、ディスクのデザインと関連性のあるデザインが形成された被添付部材を有する印刷物としたので、訴求効果を高めることができる。
【発明を実施するための最良の形態】
【００１６】
本発明は、ディスクの意匠性やデザイン性を活かし、ディスクを収納する場合に手間がかからず、かつ、訴求効果の高いディスクケース及び印刷物を提供するという目的を、透明又は半透明の円形状の表面及び裏面フィルムを貼り合わせて形成した収納部を有するディスクケースにディスクを収納し、そのディスクケースを印刷物に貼り付け、ディスクのデザインと印刷物のデザインとを関連付けることにより実現した。
【実施例１】
【００１７】
以下、図面等を参照して、本発明の実施例について、さらに詳しく説明する。
図１は、本発明によるディスクケースの実施例１を示す図であって、図１（Ａ）は、表面図、図１（Ｂ）は、裏面図、図１（Ｃ）は、図１（Ａ）のＡ−Ａ’断面図、図１（Ｄ）は、ディスクの具体的な印刷内容を示した図であり、図２は、実施例１のディスクケースの製造方法を示した工程図であり、図３は、ディスクケースに収納されたディスクの状態を示した図である。なお、図１（Ｂ）は、説明の便宜上、粘着層及び剥離紙を省略している。
実施例１によるディスクケース１０は、ディスク１１と、収納部１２と、粘着層（貼付手段）１３と、剥離紙１４と、開封用ハーフカット（開封予定部）１５等とを備える。
【００１８】
ディスク１１は、円形状の記録媒体であり、例えば、ＣＤ−ＲＯＭ、ＤＶＤ、フォトＣＤ等である。
また、ディスク１１は、図１（Ｄ）に示すように、所定のデザインＤ１を表面に有しており、具体的な印刷内容は、時計の図柄である。
【００１９】
収納部１２は、ディスク１１を内部に収納するものであり、透明又は半透明の円形状の表面及び裏面フィルム１２ａ，１２ｂと、接着部１２ｃとを備え、その２枚のフィルムの周縁部が、接着部１２ｃによって接着されている。
また、接着部１２ｃは、ディスク１１よりも若干大きな円周上に設けられており、ディスク１１は、２枚のフィルムと密着しているので、内部で回転しない。
【００２０】
粘着層１３は、収納部１２の裏面フィルム１２ｂの下側に設けられ、このディスクケース１０を所定の位置に貼り付けるための剥離不可能な粘着糊である。
【００２１】
剥離紙１４は、粘着層１３の下側に設けられ、使用時まで、粘着層１３の粘着力を保護するシートである。
【００２２】
開封用ハーフカット１５は、収納部１２の周縁部付近に、かつ、ディスク１１の円周と重なるように半円状に設けられ、このディスクケース１０を開封するためのカット線である。
【００２３】
次に、実施例１のディスクケース１０の製造方法を、図２を参照しながら説明する。
（１）裏面フィルム１２ｂと剥離紙１４とをシール加工する[＃１０１]。
（２）裏面フィルム１２ｂ上にディスク１１を載置する[＃１０２]。
（３）表面フィルム１２ａに開封用ハーフカット１５を切り込む[＃１０３]。
（４）表面フィルム１２ａをディスク１１と裏面フィルム１２ｂとに密着させる[＃１０４]。
（５）表面フィルム１２ａと裏面フィルム１２ｂとを、ディスク１１の円周に沿って、ヒートシールにより接着する[＃１０５]。
（６）ヒートシール部分の外周を円形状に型抜きし、表面フィルム１２ａの不要な部分を取り除く[＃１０６]。
（７）ディスクケース１０を１つずつ分離する[＃１０７]。
【００２４】
このようにして、ディスクケース１０が完成したら、剥離紙１４を剥離して、所定の印刷物に貼り付ける。
ここで、ディスク１１は、図柄の向きが考慮されずにディスクケース１０に収納されるので、図３（Ａ）に示すように、「１２時」の文字が正規の位置にない場合がある。その場合には、図３（Ｂ）に示すように、位置を正して貼り付ける。
【００２５】
図４は、本発明による印刷物の実施例１を示す図であって、図４（Ａ）は、平面図、図４（Ｂ）（Ｃ）は、ディスクケース１０の開封方法を示した図である。
実施例１による印刷物２０は、ディスクケース１０と、デザインＤ２等とを備える。なお、ここでの印刷物とは、例えば、雑誌、書籍、カタログ等であるが、手書きの図柄、絵画、サイン等が画かれたものであってもよい。
【００２６】
ディスクケース１０は、上述した通りの構成であり、被添付部材（印刷物２０中の所定の１ページ）に貼り付けられている。
【００２７】
デザインＤ２は、被添付部材に形成され、ディスクケース１０に収納されたディスク１１のデザインＤ１と関連性のあるデザインであり、具体的には、柱時計の柱の図柄である。
【００２８】
そして、この印刷物２０に貼り付けられたディスクケース１０を開封する場合は、図４（Ｂ）に示すように、ディスクケース１０に設けられた開封用ハーフカット１５を用いて開封した後に、図４（Ｃ）に示すように、表面フィルム１２ａをめくり、内部のディスク１１を取り出す。実際は、印刷物２０とともに、ディスク１１の裏面方向へ押し下げるようにすると、開封しやすい。
【００２９】
このように、実施例１のディスクケース１０によれば、透明又は半透明の円形状の収納部１２としたので、ディスク１１のデザイン性を活かすことができ、また、開封用ハーフカット１５とディスク１１との位置関係は任意でよいので、収納するディスク１１の向きの調整が不要となり、それによって作業の手間が省ける。
【００３０】
また、２枚のフィルムを貼り合わせて収納部１２を形成したので、製造が比較的容易であり、製造面と原料面との両面で、コストダウンが図れる。
【００３１】
さらに、裏面フィルム１２ｂに粘着層１３を設けたので、印刷物２０にディスクケース１０を貼り付ける場合には、特別な糊付け作業が不要となるので、作業効率が向上し、また、印刷物２０のデザインＤ２に対しても、正しい貼り込みがしやすい。
【００３２】
さらにまた、開封用ハーフカット１５を設けたので、収納部１２を容易に、しかも、綺麗に開封することができる。
【００３３】
一方、実施例１の印刷物２０によれば、ディスク１１のデザインＤ１と、印刷物２０のデザインＤ２とが合わさることによって相乗効果が生まれ、より大きな広告効果や販促効果、訴求効果を得ることができる。
【実施例２】
【００３４】
図５は、本発明によるディスクケースの実施例２を示す図である。
なお、前述した実施例１と同様な機能を果たす部分には、同一の符号又は末尾に統一した符号を付して、重複する説明や図面を適宜省略する。
実施例２のディスクケース１０Ａと、実施例１のディスクケース１０との異なる点は、収納部１２Ａの外縁の一部に、開封を容易にするための開封用タグ１６Ａが、裏面フィルム１２ｂを延長して設けられている点である。
【００３５】
このように、実施例２によれば、開封用タグ１６Ａを設けたので、下向きの力が加えやすくなり、開封しやすい。
【実施例３】
【００３６】
図６は、本発明によるディスクケースの実施例３を示す図である。
実施例３のディスクケース１０Ｂは、実施例２のディスクケース１０Ａと近い形態であり、開封用タグ１６Ｂが、開封用ハーフカット１５をディスク１１の円周側からディスク１１の中心方向に湾曲させることにより設けられている。
【００３７】
このように、実施例３によれば、開封用タグ１６Ｂを設けたので、実施例２と同様に、開封しやすい。また、開封用タグ１６Ｂがフタの役割も兼ねるようになるので、開封したディスクケース１０Ｂに、再度ディスク１１を戻した場合であっても、不用意な脱落が防止でき、ディスク１１を保管する形態としても良好である。
【００３８】
（変形例）
以上説明した実施例に限定されることなく、種々の変形や変更が可能であって、それらも本発明の均等の範囲内である。
（１）上述した各ディスクケースは、印刷物２０に貼り付けずに利用してもよく、また、初めからディスク１１を収納せずに、ケースとして使用してもよい。
（２）粘着層１３は、剥離不可能な粘着糊として説明したが、再剥離再貼付可能な粘着糊や、剥離可能な粘着糊を用いてもよい。再剥離再貼付可能な粘着糊を用いれば、ノートパソコン等に再貼付することによって、ディスク１１の紛失が防止できるとともに、利便性が向上し、また、剥離可能な粘着糊を用いれば、ディスク１１を保管するためのケースとして再利用することができる。
（３）開封予定部は、ハーフカットとしたが、ミシン目やマイクロミシン目等の他のカット線でもよい。
【図面の簡単な説明】
【００３９】
【図１】本発明によるディスクケースの実施例１を示す図である。
【図２】実施例１のディスクケースの製造方法を示した工程図である。
【図３】ディスクケースに収納されたディスクの状態を示した図である。
【図４】本発明による印刷物の実施例１を示す図である。
【図５】本発明によるディスクケースの実施例２を示す図である。
【図６】本発明によるディスクケースの実施例３を示す図である。
【符号の説明】
【００４０】
１０、１０Ａ、１０Ｂ  ディスクケース
１１  ディスク
１２、１２Ａ、１２Ｂ  収納部
１２ａ  表面フィルム
１２ｂ  裏面フィルム
１２ｃ  接着部
１３  粘着層
１４  剥離紙
１５  開封用ハーフカット
１６Ａ、１６Ｂ  開封用タグ
２０  印刷物
Ｄ１、Ｄ２  デザイン
【図１】
2005206161.tif 000003
【図２】
2005206161.tif 000004
【図３】
2005206161.tif 000005
【図４】
2005206161.tif 000006
【図５】
2005206161.tif 000007
【図６】
2005206161.tif 000008